(57)【要約】  本発明は、すくい面（２０）と、着座面（２５）と、すくい面と着座面との間に延在する複数の逃げ面（３０ａ〜３０ｄ）とを有する切削インサート（１０）に関する。すくい面と複数の逃げ面との交差部が複数の切刃（３５ａ〜３５ｄ）を画成する。インサート（１０）のすくい面（２０）は、横切刃（３５ａ〜３５ｄ）の交差部に形成されて角切刃（４５ａ〜４５ｄ）を画成する複数の角領域（４０ａ〜４０ｄ）を有する。少なくとも１つの角領域（４０ａ〜４０ｄ）の角切刃（４５ａ〜４５ｄ）が、インサートの側面から見た場合に凹形輪郭（５０ａ）を有する。凹形輪郭（５０ａ）が凹面形状を有し、切刃（４５ａ）から内側に延在している。切刃において、凹部が円錐形状を有して円錐部（５５ａ）を画成するとともに、切刃からさらに内側に凹部が円筒形状を有して円筒部（６０ａ）を画成してもよい。
2009536585.tif 000002
【特許請求の範囲】
【請求項１】
本体を有する切削インサートであって、
ａ）すくい面と、
ｂ）着座面と、
ｃ）前記すくい面と前記着座面との間に延在する複数の逃げ面とを備え、前記すくい面と前記複数の逃げ面との交差部が複数の横切刃を画成し、
ｄ）前記本体の前記すくい面が、横切刃の交差部に形成されて角切刃を画成する複数の角領域を有し、少なくとも１つの角領域の前記角切刃が、前記インサート本体の側面から見た場合に凹形輪郭を有する切削インサート。
【請求項２】
前記凹形輪郭が凹面形状を有する請求項１に記載の切削インサート。
【請求項３】
前記凹形輪郭が前記切刃から内側に延在している請求項２に記載の切削インサート。
【請求項４】
各角領域が前記角切刃から内側に延在するランドを有し、前記凹形輪郭が前記ランド内に延在している請求項３に記載の切削インサート。
【請求項５】
前記凹形輪郭が前記切刃から内側に延在し、円錐形状を有する請求項４に記載の切削インサート。
【請求項６】
前記凹形輪郭が前記インサート本体の前記すくい面内に延在している請求項３に記載の切削インサート。
【請求項７】
前記凹形輪郭が前記切刃から内側に延在し、円錐形状を有して円錐部を画成する請求項６に記載の切削インサート。
【請求項８】
前記円錐部が前記切刃から約０．００２〜０．０３０だけ内側に延在している請求項７に記載の切削インサート。
【請求項９】
前記円錐部が約５〜４５度の円錐角を有する請求項７に記載の切削インサート。
【請求項１０】
前記円錐部が中心軸を有し、前記中心軸が前記着座面と約２〜３０度の角を形成する請求項９に記載の切削インサート。
【請求項１１】
前記凹形輪郭が前記すくい面の全幅にわたって内側に延在している請求項７に記載の切削インサート。
【請求項１２】
前記凹形輪郭が、前記円錐部の内側で前記すくい面内に窪んだ円筒部をさらに含む請求項１１に記載の切削インサート。
【請求項１３】
前記円錐部を前記円筒部と接続する混合部をさらに含む請求項１２に記載の切削インサート。
【請求項１４】
前記角部間の前記切刃が側面から見た場合凸面状である請求項１に記載の切削インサート。
【請求項１５】
前記切刃がホーニング加工されている請求項１４に記載の切削インサート。
【請求項１６】
前記すくい面が、前記切刃から内側に延在する際に凸面状輪郭を有する請求項１４に記載の切削インサート。
【請求項１７】
前記逃げ面がほぼ平坦である請求項１に記載の切削インサート。
【請求項１８】
前記本体がほぼ正方形形状を有する請求項１に記載の切削インサート。
【請求項１９】
傾斜部を有するすくい面と、
少なくとも１つの逃げ面が正の逃げ角を有する、複数の逃げ面と、
前記すくい面と前記複数の逃げ面のうちの１つとの間の交差部に形成された、互いに隣接する少なくとも２つの横切刃と、
前記２つの隣接する横切刃の交差部に形成された少なくとも１つの角切刃とを備え、
ほぼ円錐形状を有する凹形角部が少なくとも１つの角切刃に設けられている、本体を有する切削インサート。
【発明の詳細な説明】
【技術分野】
【０００１】
本発明は、一般に、金属加工作業で用いられる切削インサートに関し、特に切削インサート上のチップフロー制御特徴に関する。
【背景技術】
【０００２】
切削インサートが周知であり、それらの大部分が使い捨て設計のものである。このようなインサートは、工具ホルダに取り外し可能に固定された後、切れが鈍くなったり欠けたりすると廃棄される。使い捨てインサートは通常、インサートに少なくとも２つの切刃を設けて切削位置に対して選択提示することができるように、割出可能および／または反転自在である。１つの刃を使い終わったときに、そのインサートを単に次の使用可能な刃に割り出しまたは反転し得るため、多数の切刃を有する割出可能および／または反転自在なインサートはより経済的である。インサートが作製される材料の高いコストを考えると、このような特徴は特に重要である。
【０００３】
金属加工の主な目的は、新たな加工面の形削りである。エネルギーの消費が主にチップの形成および移動中に発生するため、チップが廃棄物であっても、加工プロセス中にチップの形成に多くの注意が払われる。このため、いかなる金属加工作業も基本的な特徴は効果的なチップフローである。「切削インサートおよびその作製方法(Cutting Insert and Method of Making the Same)」と題された米国特許第６，７６９，８４４号明細書は、切刃間に設けられた面取り角を有する凸面状ワイパー切刃を有する切削インサートを教示している。この特許は本出願の譲受人に譲渡されており参照により本明細書に援用する。
【発明の開示】
【発明が解決しようとする課題】
【０００４】
チップフロー制御は金属切削作業における重要な考慮点であるため、切削インサートとともに使用する改良チップフロー制御面を開発することは金属切削の技術における長年の目的であった。
【課題を解決するための手段】
【０００５】
本発明は、すくい面と、着座面と、すくい面と着座面との間に延在する複数の逃げ面とを有する切削インサートに関する。すくい面と複数の逃げ面との交差部が複数の横切刃を画成する。本体のすくい面が、横切刃の交差部に形成されて角切刃を画成する複数の角領域を有する。少なくとも１つの角領域の角切刃が、インサートの側面から見た場合に凹形輪郭を有する。凹形輪郭が凹面形状を有し、切刃から内側に延在している。切刃において、凹部が円錐形状を有して円錐部を画成し、切刃からさらに内側に凹部が円筒形状を有して円筒部を画成してもよい。
【０００６】
本発明のこれらおよび他の特徴および特性、ならびに作業の方法および構造の関連要素の機能、および部品の組み合わせおよび製造の経済性は、すべてこの明細書の一部をなす添付の図面を参照して、以下の説明および添付の特許請求の範囲を検討することによってより明らかになろう。同様な参照番号は様々な図面内において対応する部品を指す。明細書および特許請求の範囲で用いられるように、「一つの(a, an)」および「前記(the)」という単数形は、文脈が特に明示しない限り複数への指示を含む。
【発明を実施するための最良の形態】
【０００７】
以下説明の目的のため、用語「上方」「下方」「右」「左」「垂直」「水平」「上部」「底部」「横」「縦」およびそれらの派生語は、図面内で方向づけられる際の本発明に関するものとする。しかし、相反する明示的な記載がない限り、本発明が様々な代替的変形を取り得ることは理解されよう。添付の図面に図示するとともに以下の明細書に説明する特定の装置が、単に本発明の例示的実施形態であることも理解されよう。そこで本明細書に開示する実施形態に関する特定の寸法および他の物理的特徴は限定として考えるべきではない。
【０００８】
図１に注目すると、切削インサート１０がすくい面２０と着座面２５とで構成される本体１５を有する。複数の逃げ面３０ａ〜３０ｄが、すくい面２０と着座面２５との間に延在している。複数の横切刃３５ａ〜３５ｄが、すくい面２０と複数の逃げ面３０ａ〜３０ｄとの交差部により画成される。すくい面２０は、横切刃３５ａ〜３５ｄの交差部に形成されて角切刃４５ａ〜４５ｄを画成する複数の角領域４０ａ〜４０ｄを有する。
【０００９】
図１に図示するように、本体１５はほぼ正方形形状を有する。しかし、８角形および５角形を始めとする切削インサート１０用の様々な他の切削外形が考えられるため、これは限定として解釈すべきではない。さらに本明細書に記載される切刃の各々を、作業または活動位置に割り出すとともに、当該技術分野で周知のタイプの切削工具内で効果的に利用できることも理解されよう。この切削インサート１０用の１つの具体的な用途はプランジフライスであり得る。
【００１０】
便宜上このような詳細をインサート１０の残りの角領域４０ｂ〜４０ｄに適用し得るという理解で、以下に角領域４０ａを説明する。
【００１１】
図２Ａおよび図５に注目すると、本体１５の側面から見た場合、角領域４０ａの角切刃４５ａは凹形輪郭５０ａを有する。図２Ａおよび５に図示するように、凹形輪郭５０ａは凹面形状を有する。図２Ａおよび２Ｂに注目すると、凹形輪郭５０ａは角切刃４５ａから内側に延在している。凹形輪郭５０ａは内側に且つ角切刃４５ａからすくい面２０内に延在している。図２Ａおよび３に図示されるように、凹形輪郭５０ａは円錐形状を有して円錐部５５ａを画成する。簡単に図２Ｂに注目すると、円錐部５５ａが角切刃４５ａから、約０．０２〜０．０３０インチの距離「Ａ」だけ内側に延在するとともに、約０．００５〜０．００６インチの範囲であることが好ましい。さらに図２Ｂに注目すると、円錐部５５ａは約５〜４５度の円錐角「Ｂ」を有し得るが、好適な角度は約２０度である。図３に図示するように、円錐の中心軸Ｌは、本体１５の着座面２５に平行な線２６と、約２〜３０度であり好適には約５〜１０度の角「Ｃ」を形成し得る。
【００１２】
図２Ｂに図示するように、凹形輪郭５０ａはすくい面２０の幅Ｗ全体にわたって内側に延在している。
【００１３】
図２Ｂにさらに図示するように、凹形輪郭５０ａは、すくい面２０内で窪むとともに円錐部５５ａの内側に位置する円筒部６０ａを含み得る。混合部６５ａは円錐部５５ａを円筒部６０ａに接続して、これらの部分間に滑らかな移行を提供し得る。
【００１４】
図５および６に注目すると、例えば角領域４０ａに隣接する切刃３５ａ、３５ｂは、図６に図示されるように、側面から見た場合に直線または凸面状であり得る。例えば図６に図示するように、切刃３５ａは、およそ８インチの曲率半径Ｒを有し得る。図３に簡単に注目すると、すくい面２０も切刃３５ａから内側に延在する際に凸面状輪郭を有し得ることが容易に想定できる。
【００１５】
切刃３５ａが比較的鋭利であるとともに切刃３５ａの強度を増すような半径をそこに提供するようにホーニング加工され得るような、すくい面が正のすくい角を有する、すくい面２０に直に隣接した切刃３５ａをこれまで説明してきた。図７に注目すると、切刃３５ａとすくい面２０との間にランド７０を導入することにより、切刃３５ａなどの切刃にさらなる強度を提供することが十分に可能である。
【００１６】
図７に図示するように、凹形輪郭５０ａは角切刃４５ａからすくい面２０内に内側に延在している。詳細には、凹部５０ａは、円錐部５５ａがすくい面２０内に延在している状態で切刃４５ａから内側に連続している。その後凹形輪郭５０ａは混合部６５ａへ内側に且つ円筒部６０ａ内に連続して延在している。作業中切刃４５ａは切刃３５に従うとともに、切屑を上昇させて被加工物から流れ去らせる。
【００１７】
図６に注目すると、各逃げ面、例えば逃げ面３０ｄはほぼ平坦であるとともに、切刃３５により画成されるほぼ平坦な表面に対して垂直な線と約０〜３０度、好適には約１１〜２０度の逃げ角「Ｆ」を形成する。
【００１８】
図８は工具ホルダ内に載置されて被加工物を加工する切削インサート１０を示す。詳細には、図８はフライス１００内に載置された切削インサート１０を図示する。フライス１００は縦軸１１０に沿って延在する本体１０５で構成され、第１の端部１１５を有する。凹部１２０は第１の端部１１５内に延在し、切削インサート１０を収容するように構成されたインサートポケット１２５を有する。切削インサート１０は取付ねじ１３２を収容するように貫通する穴８０（図４）を有し、取付ねじ１３２は凹部１２０のポケット１２５内の底部を貫通するねじ穴（図示せず）内に螺合し得る。この構成を利用すれば、切削インサート１０が被加工物１３０を係合して被加工物１３０を所望の形状に形成するように、フライス１００を、縦軸１１０を中心に時計回りの方向に回転し得る。
【００１９】
例示の目的のため現在最も実用的であるとともに好適な実施形態であると考えられるものに基づいて本発明を詳細に説明したが、このような詳細は単にこの目的のためであり、本発明は開示の実施形態に限定されず、反対に添付の特許請求の趣旨および範囲にある変更例および等価な構成を網羅しようとするものであることは理解できよう。例えば本発明が可能な範囲で、任意の実施形態の１つまたは複数の特徴を任意の他の実施形態の１つまたは複数の特徴と組み合わせることができることを意図するものであることは理解できよう。
【図面の簡単な説明】
【００２０】
【図１】本発明による切削インサートの斜視図である。
【図２Ａ】図１の矢印「２」に沿って見たときの角領域の拡大斜視図である。
【図２Ｂ】図２Ａで強調表示された角の上面図である。
【図３】図２Ｂの線３−３に沿った切削インサートの断面図である。
【図４】図１の切削インサートの上面図である。
【図５】角から見た図１の切削インサートの側面立面図である。
【図６】側面から見た図１の切削インサートの側面立面図である。
【図７】図２Ｂの線３−３に沿った切削インサートであるが、インサートが切刃に隣接するランドを有する他の実施形態を示す断面図である。
【図８】被加工物を加工するための本発明による切削インサートを利用する回転工具ホルダの斜視図である。
【図１】
2009536585.tif 000003
【図２Ａ】
2009536585.tif 000004
【図２Ｂ】
2009536585.tif 000005
【図３】
2009536585.tif 000006
【図４】
2009536585.tif 000007
【図５】
2009536585.tif 000008
【図６】
2009536585.tif 000009
【図７】
2009536585.tif 000010
【図８】
2009536585.tif 000011
【国際調査報告】
2009536585.tif 000012